(57)【要約】      （修正有）【課題】写真用紙にプリントされた写真は暫くのあいだ卓上などに飾って楽しみたい。その写真すべてに市販の写真たてを用意せず、手間とコストのかからない、更に卓上面を占領する事のないフォトスタンドを提供する。【解決手段】矩形型に小さくカットしたプラスチック板２の中央部分を長円形にくりぬき更に上下部分に狭い溝をつけたものと、細いピアノ線またはステンレス材を使用して溝と長円形にくりぬいた部分にきっちり収まるようにしたのち９０度に曲げてＬ判用紙を縦に使用したときでも横にはみ出さない長さにした写真立て用アーム１を形成する。以上二つの部品を組み合わせて両面接着テープを貼り本発明品を完成させる。使用時は両面接着テープの保護紙を剥がして各サイズの写真用紙５左右中心点の下側に貼りつけて折りたたみアームを９０度に起こせば写真スタンドとして機能させる事ができる。【選択図】図９
2018029929.tif 000002
【特許請求の範囲】
【請求項１】
切手サイズの矩形にカットした１．５ミリ厚程度のプラスチック板（２）の中央部を矩形長辺方向に沿って長円形にくりぬき、矩形左右中心の上下部分２か所に縦方向に溝（３）を設ける。この溝幅に適合する直径のピアノ線（１）を前記の長円形にくりぬいた部分にあわせてＵ字形に（Ｂ）の距離より（Ａ）の距離を僅かに長くすることでバネ作用が働きアームを動かしたとき適度な固さを持つように加工（Ｃ）し、このピアノ線の片方を前記の矩形中心縦方向溝の長さより僅かに短い長さで切断する。他方のピアノ線を９０度に曲げて、Ｌ判写真用紙短辺寸法の約半分にあたる全長４４ミリの写真を立てるアーム（１）におもり用コインを挟む湾曲部分を設けて加工し、前記矩形プラスチック（２）に設けてある２か所の溝（３）に嵌めてその上から両面接着テープ（４）を貼ったものを各種異なったサイズの写真用紙（５）の裏面左右中央下部に前記両面接着テープを貼付することにより、薄型折りたたみ式接着フォトスタンドとして機能するようにしたもの。
【発明の詳細な説明】
【技術分野】
【０００１】  印刷された写真用紙裏面に接着使用するフォトスタンドに関するもの
【背景技術】
【０００２】  長い歴史を持つ写真技術はデジタル化された現在でも写真用紙媒体に様々な画像を表現する手法は基本的に変わることなく続いている。そして写真用紙に印刷された画像は写真アルバムに保存したり、或いは写真立てに収めて棚や卓上に置いて鑑賞するのが一般的な楽しみ方になっている。
【発明の概要】
【発明が解決しようとする課題】
【０００３】  現在はデジタル写真を撮影したのち携帯電話、タブレット、ＰＣ画面などで確認して気に入った写真をカメラ店やコンビニエンスストアなどにも備えられているコイン投入型のプリンターでプリントするか又はＰＣとプリンターを使用して写真用紙にプリントされる。完成した写真は暫くのあいだ卓上などに飾って楽しみたいのだが、その写真すべてに市販の写真たてを用意するのは手間とコストもかかり更に卓上面を占領する事にもなるので煩雑な課題になる。
【課題を解決するための手段】
【０００４】  前項で挙げた手間とコストがかかる課題▲１▼と、複数枚の写真を棚や卓上などに置いて鑑賞するとき場所を占領する課題▲２▼の２点がとりわけ大きな課題になっているので、▲１▼に対しては従来のガラス板または透明プラスチック板と木製またはプラスチック製の写真を保持するための平面部分を設けた部材と重ね、この二者の間に写真を挟むという一般的な構造を採らず矩形型に小さくカットしたプラスチック板の中央部分を長円形にくりぬき更に上下部分に狭い溝をつけたものと、細いピアノまたはステンレス材を使用して前記の溝と長円形にくりぬいた部分にきっちり収まるようにしたのち９０度に曲げてＬ判用紙を縦に使用したときでも横にはみ出さない長さにした写真立て用アームを形成しておく。以上二つの部品を組み合わせて両面接着テープを貼り本発明品を完成させる。使用時は両面接着テープの保護紙を剥がして各サイズの写真用紙左右中心点の下側に貼りつけて折りたたみアームを９０度に起こせば写真スタンドとして機能させる事ができる。次に課題▲２▼に関しては構造を極度に単純化したため置く場所スペースは最小になり、写真を立てるアーム部分を折りたたむと写真紙を含めた厚さは２ミリ程度になる。
【発明の効果】
【０００５】  以上、本発明は従来からの既製写真たてと比べると構成部品点数を極限まで簡素化しているため使用にあたり、極めて短時間に各種異なったサイズの写真を卓上などに立てて鑑賞することがでる。両面接着テープを含めても僅か三点のパーツで構成されているため製品の量産化は容易であり安価に実現できる。旅行などで撮影した写真の裏面に本発明のフォトスタンドを貼付して家族や友人にプレゼントすれば卓上に飾って楽しんでもらうこともできる。Ｌ判又はハガキサイズ写真の場合、本発明スタンドを貼付した状態でも三枚程度であれば封筒を含めても２５グラム以内に収まり、定型サイズ郵便（１２×２３．５×１センチ以内）にすれば現在日本国内８２円で郵送でき、写真が六枚程度に増えた場合５０グラム以内９２円切手を貼付しで郵送可能になる。観光地の絵はがき売り場などで本発明品と一緒に定型サイズ封筒、切手などと共に販売すれば気の利いた商品になるはず。簡単安価に写真を立てることができる製品ではあるが全体が軽量になるため外からの換気やエアコンなどの風で写真が倒れることを防ぐためアーム部分におもり用のコイン数枚を挟めるように配慮されている。以上本発明を実施した製品は年齢性別を問わず流行り廃れのない商品として長期間グローバルに提供できるものである。
【図面の簡単な説明】
【０００６】
【図１】  部品１と２の距離関係をＡ＞Ｂにしてアームの動きに固さを与える本発明の要部分
【図２】  中央部分を長円形にくり抜き上下部分にアームの入る溝を設けた矩形プラスチック板
【図３】  本発明のおりたたみ式接着フォトスタンドを写真用紙に接着する両面接着テープ（４）
【図４】  本発明の矩形プラスチック板と金属アームを結合両面接着テープで完成させた状態
【図５】  本発明おりたたみ式接着フォトスタンドの完成品側面図（金属アームは起きた状態）
【図６】  本発明おりたたみ式接着フォトスタンドの完成品上面図（金属アームは収納状態）
【図７】  本発明おりたたみ式接着フォトスタンドの完成品正面図（金属アームは収納状態）
【図８】  本発明おりたたみ式接着フォトスタンドの完成品斜視図（金属アームは起きた状態）
【図９】  本発明おりたたみ式接着フォトスタンドの完成品を写真用紙裏面に貼付した状態
【図１０】  本発明おりたたみ式接着フォトスタンドアーム部に防風用おもりコインを挟んだ状態
【図１１】  本発明おりたたみ式接着フォトスタンドを各種異なるサイズ写真用紙への貼付位置
【図１２】  本発明おりたたみ式接着フォトスタンドを２個使用して大型写真用紙に対応した状態
【発明を実施するための形態】
【０００７】  矩形型に小さくカットしたプラスチック板（２）は１．５ミリ厚の弾力性のあるＡＢＳ材を使用し、板の中央部分を長円形にくりぬき、更に上下部分に０．８５ミリのＵ字形に掘った溝を設けておく。金属製アーム（１）は直径０．８ミリの表面酸化防止加工を施したピアノ線またはステンレス材を使用し、前記の上下に設けたＵ字形の０．８５ミリ溝に、動きに硬さを持たせるため図１に示したように（１）の金属製アーム（Ａ）の距離は矩形プラスチック板（２）に設けた長円形を構成する平行線部分（Ｂ）の距離より僅かに長くしておくことにより反発力による適度な摩擦を得ることができる。これによりアームを起こし使用する状態と収納状態でそれぞれ所定の位置に留まり安定して使用できる。金属アーム（１）は図１のとおりＵ字形状に加工してスプリング性をもたせて（２）に設けた長円形部分にキッチリ収まるようにしたのち、９０度に曲げて、Ｌ判用紙縦使用時に横にはみ出さないように長さ４３ミリにして写真立て保持用アームを形成する。以上二つの部品を組み合わせたのち両面接着テープ（４）を貼って完成させる。使用するときは両面接着テープの保護紙を剥がし写真用紙の左右中心点下側に１ミリほど間隔をあけて使用時（２）の下側が卓上面などに接触しないよう間隔をあけて貼りつければ写真スタンドとして機能させる事ができる。大判の写真用紙を立てる時は図１２に示したように、おりたたみ式接着フォトスタンドを２個使用すると安定させることができる。前記したように外からの換気やエアコンなどの風で写真が倒れるのを防ぐにはアーム部分におもり用のコイン数枚を挟むと転倒はある程度防止できるように配慮されている。構造が単純化されているため写真を立てるアーム部分を折りたたんだ時は写真用紙を含めた厚さは２ミリ以下になり、前述したとおりアームを折りたためば郵送時や収納もスペースがセーブされコンパクトになる。なおポケット型写真アルバムを使用した場合、アームを折りたたみそのまま保存できる。
【産業上の利用可能性】
【０００８】  本発明は、以上で紹介した写真たて用途以外にも展示会などで展示品を説明する小さなパネルを立てるために利用できる。商業用途では商品内容を説明するカード、名刺サイズカードを使用してプリントしたものを商品のそばに立てておく或いは商品価格を表示しておくなどの用途があるはず。なお価格表示を頻繁に変える必要のある用途では透明シートで作られた名刺サイズのクリアポケットなどに本発明を貼り付けて使用すれば変更は容易になる。
【符号の説明】
【０００９】１．金属製アーム、直径０．８ミリピアノ線またはステンレス線材を使用、おもり用コイン挟み機能をもたせたもの
２．２５×１５×１．５ミリ厚ＡＢＳ板の中央に長円形の穴を空け左右中心の上下部分に、金属製アーム１を保持するためのＵ字形の溝３を設けてある
３．前記２に設けたＵ字形の溝、幅０．８５ミリ
４．表面保護紙つき両面接着テープ
５．各種サイズの写真用紙
６．立てた写真が風で転倒するのを防ぐためのおもり用コイン
【図１】
2018029929.tif 000003
【図２】
2018029929.tif 000004
【図３】
2018029929.tif 000005
【図４】
2018029929.tif 000006
【図５】
2018029929.tif 000007
【図６】
2018029929.tif 000008
【図７】
2018029929.tif 000009
【図８】
2018029929.tif 000010
【図９】
2018029929.tif 000011
【図１０】
2018029929.tif 000012
【図１１】
2018029929.tif 000013
【図１２】
2018029929.tif 000014